(57)【要約】［課題］　電気掃除機に接続して容易にごみを取ることができ、モップ等を用いた掃除が簡単におこなえるごみとり器を提供する。［解決手段］　底板１と、底板１に対して傾斜させて配置したシュート板５と、底板１とシュート板５との周囲を囲むように配置した側板３とによりごみを吸引するケーシング１９を設け、該ケーシング１９の高位側である後部の側板４に、電気掃除機に接続されるパイプを設け、前記シュート板５に、ごみの吸い込み口としてのスリット７２をケーシング１９に連通させて設けたことを特徴とする。【選択図】　　　　　　図２
2004081781.tif 000002
【特許請求の範囲】
【請求項１】
底板と、底板に対して傾斜させて配置したシュート板と、底板とシュート板との周囲を囲むように配置した側板とによりごみを吸引するケーシングを設け、
該ケーシングの高位側である後部の側板に、電気掃除機に接続されるパイプを設け、
前記シュート板に、ごみの吸い込み口としてのスリットをケーシングに連通させて設けたことを特徴とする電気掃除機に接続できるごみとり器。
【請求項２】
前記スリットに、スリットの開口面積を可変とする、棒体を脱着可能に取り付けたことを特徴とする請求項１記載の電気掃除機に接続できるごみとり器。
【発明の詳細な説明】
【０００１】
［発明の属する分野］
本発明は、掃除用具としての電気掃除機に接続できるごみとり器に関するものである。
【０００２】
［従来の技術及び解決しようとする課題］
室内を清掃する掃除用具において、電気掃除機に接続できるごみとり器として、特願２００２−１７４６４１ですでに提案したところであるが、モップを中心にした一般家庭内における掃除用具としてさらにシンプルで、使い勝手の良いごみとり器を提供することにある。
【０００３】
モップは磨くという機能もあり、構成がシンプルで軽く、効率良く掃除ができる。しかしながらごみの始末に手間が掛かる、またモップ自体の掃除も思うようにならない場合が多く、レンタル会社にそのまま出して料金を支払っている場合が多い。
一般家庭において、床面をモップで掃除したときごみは、モップ自体に付着するものと、付着しないものがある、付着しないものは一般のほうきとごみとり器でごみをとるか、電気掃除機で吸い取るかが主な方法である。またモップに付着したごみを落とすためには屋外に持って行き、モップを振ってごみを落としたり、電気掃除機で吸い取らせたりしているが思うようにごみが落ちずに苦労しているという課題がある。
【０００４】
そこで、本発明は上記課題を解決すべくなされ、その目的とするところは、更に簡便かつ気軽に使用できる掃除用具で、電気掃除機と接続して使用することができるごみとり器を提供することにある。
【０００５】
［課題を解決するための手段］
本発明は上記課題を解決するために、次の構成を備える。
すなわち、底板と、底板に対して傾斜させて配置したシュート板と、底板とシュート板との周囲を囲むように配置した側板とによりごみを吸引するケーシングを設け、
該ケーシングの高位側である後部の側板に、電気掃除機に接続されるパイプを設け、
前記シュート板に、ごみの吸い込み口としてのスリットをケーシングに連通させて設けたことを特徴とする。
前記スリットに、スリットの開口面積を可変とする、棒体を脱着可能に取り付けたことを特徴とする。
本発明に係わるごみとり器によれば、ごみとり器に電気掃除機を接続することにより、傾斜されて形成されているシュート上に、モップは床面よりスムーズに移動することができる。また、スリットは吸気が強く、シュート上でモップを接触させながら動かすことによってモップ等に付着したごみが確実に剥離して電気掃除機に吸い込まれる。
【０００６】
［発明の実施の形態］
以下、本発明の好適な実施形態について添付図面と共に詳述する。
（実施形態）
まず、図１〜図３に基づいて本発明に係わるごみとり器の実施形態の構成について説明する。
ごみとり器２０は底板１と該側板１に対して傾斜させ、上面をほぼ一致させて配置した、前方シュート板５ａと後方シュート板５ｂとの周囲を囲むように配置した両側板３及び後方垂直板４によってボックス状のケーシング１９を形成させ、一般電気掃除機を接続するための接続パイプ２を後方垂直板４に穴を開け、嵌合筒８９を介して回転自在に取り付けられている。
前方シュート板５ａと後方シュート板５ｂ間にはスリット７２を形成させていて、スリット７２は両側板３間に該側板３とほぼ直角に設けている。
【０００７】
シュート板５ａの先端部は底板１のエプロン１ａに隙間がないように接合されて、更に両側部は底板１に傾斜させて、両側板３にそれぞれ固定されている。シュート５ｂの後部は若干折り曲げられ後方垂直板４の棚４ａと突起体８６の間に差し込まれ、シュート５ｂの両側部及び先端部は、直角に折り曲げられそれぞれ両側板３の内側に接触させると共に、両側板３にまたがって固定している横棒８３とスリット棒ホルダー７２ａの側面に係止している。
また、シュート５ｂを固定するために、シュート５の両側折り曲げ部にめねじを設け、つまみつきねじ８１でシュート５を側板３に固定している。
スリット７２にはスリット幅を調節するためのスリット棒７２ｂと該スリット棒７２ｂを保持するためのスリット棒ホルダー７２ａから成り立っている。
スリット棒ホルダー７２ａはスリット棒７２ｂを脱着可能にするため、スリット棒７２ｂをはめ込むための溝を有すると共に、材質として硬質ゴムを使用し、前方シュート板５ａの後端折り曲げ部に当接させると共に両側板３にそれぞれ固定している。この場合、スリット棒７２ｂの上面は前後のシュート板５ａ，５ｂの上面とほぼ一致させている。
【０００８】
図２において、８８は嵌合筒８９を後方垂直板４に回動可能に取り付けるためのゴムスリーブである。嵌合筒８９は接続パイプ２を脱着可能に取り付けていて、嵌合筒８９がゴムスリーブ８８を介して後方垂直板４に支持されているため、嵌合筒８９は向きが可変となり、接続パイプ２を介して電気掃除機をごみとり器２０に連結した際に、ごみとり器２０が自在な向きにすることができる。また、嵌合筒８９に脱着可能な接続パイプ２を設けたことで、電気掃除機の機種に合った接続パイプ２を連結して使用することが容易になる。本実施形態のごみとり器２０では、後方垂直板４の高さ寸法を、傾斜して設置されているシュート５の基部側の高さに略等しく設定し、シュート５の上でモップを移動させた際に後方垂直板４にモップが当接してモップの移動位置が規制されることがないようにした。すなわち、後方垂直板４の高さを低くすることにより、シュート５を超えて前後にモップを動かすことができるようにし、これによってモップにしつこく付着しているごみを容易に落とすことが可能となる。
また、スリット７２はケーシング２０から吸い込む際に、吸い込み口の幅を細くし、高速で吸引できるようにするためのものである。したがって、スリット棒の本数や寸法等は適宜設定すればよい。
また、シュート５ｂはつまみつきねじ８１を外すことによって簡単に脱着可能で内部の手入れも容易に行うことができる。
ゴム足７は後方垂直板４より突出しているステー４ｂの下部に取り付けられていて使用する際にケーシング２０が安定にして動かないように床にしっかり固定する役目をしている。
【０００９】
ハンドル８は棒鋼をコの字形に形成し、両端をほぼ９０°折り曲げ、ひっかかり部を作った形状に形成され、両側面垂直板３のほぼ中央部に穴を開けてひっかかり部を支軸として差し込み、穴を中心にハンドル８が円弧状に回動できるようにしてごみとり器２０の持ち運びを可能にしている。尚ハンドル８の先端部は剛性により自由に取り外し可能であり、先端部の差し込む穴の位置はごみとり器の重量配分を考え、ハンドル８を持ち上げたとき、前方エプロン１ａが若干上方に持ち上がった適度の角度を保って該ハンドル８がつまみつきねじ８に当接する位置にしている。
【００１０】
本実施形態の構成部品はゴム足７と接続パイプ２及びスリット棒ホルダー７２ａ以外は金属からなるが同等または同等以上の利点があればプラスチック等非金属体によって形成するのがよい。また、接続パイプ２は電気掃除機の製品によってパイプ径が若干異なるため、異径のパイプを接続できる構造にすることも必要である。
【００１１】
図３は実際の使用例を示すものであって電気掃除機の本体２５、蛇腹ホース２６、及び接続パイプ２７よりなる電気掃除機にごみとり器２０を接続した状態を示す。
ごみとり器を使用する際は、電気掃除機の吸い取り口を外し、代わりに本器を取り付け、取手は後方のステー４ｂ上部に回動させ、モップでごみと共に床を摺らせて来て、ごみとり器のシュート上に取り込み、シュート上でモップを往復動作することにより、モップによって運ばれてきたごみを電気掃除機に吸い取らせると共に、モップ自体に付着したごみを落とし、電気掃除機に吸い取らせる。
【００１２】
ごみとり器２０は図４のように床に置いて使用する。左右のステー４ｂの下部にゴム足７がついているため底板１は床に対して角α°で傾き、エプロン１ａの先端が床にぴったりと接して、動かないようになっている。ごみのついたモップのごみをおとす場合を例にとると、図３のようにごみとり器２０を電気掃除機に接続して電気掃除機のスイッチを入れ、モップを図４の矢印Ａ方向に床を摺らせてごみと共にエプロン１ａ上に移動させ、続いてシュート上に移動させる。このときモップと共に移動してきたごみの大部分はスリット７２より矢印Ｂのように電気掃除機２５に吸い込まれる。
【００１３】
しかし、モップにしっかり付着したごみは簡単には落ちないため、矢印Ｃのようにスクリーン上でモップを往復運動させる。するとモップのたれ下がったひも状部がスリット棒７２ｂにひっかかり何度か矢印Ｃのように往復運動繰り返しているうちにしつこいごみもスリット部の強い吸気とスリット棒７２ｂ及びスリット部の摩擦抵抗により下方に吸い込まれ、最後に電気掃除機２５に吸い込まれる。
尚、大きなごみが多いときはスリット棒を外して使用するのも良く、上記作業でスリット上に残った大きなごみは手で取り除くことはいうまでもない。また、図示はしていないがごみとり器２０の先端近く又はコンセント部にスイッチ等と簡単な制御回路を組み、モップが来たときのみスイッチが入り電気掃除機を作動させ、モップがごみとり器から離れたらスイッチが切れ電気掃除機も停止するようにすることも可能である。
【００１４】
図２は基本形であるが特願２００２−１７４６４１で提案したようにシュート上方にスクリーンを設けること、シュート上面に突起物を配置すること、及びシュート面を波形にすることも可能である。また、使用しないときのかたづけに便利なように接続パイプ２をほぼ９０°回転させてケーシング１９内に収納することも可能である。また、前方シュート板５ａと底板１の先端部及び先端からスリットまでの三角柱状の空洞は無用なため、底板の先端部分はスリット前部分で上方に折り曲げて、前方シュート板５ａの後端部に接続して前方シュート５ａに底板を兼ねさせることも可能である。（図示せず）
【００１５】
［発明の効果］
本発明に係わるごみとり器によれば、上述したように、ごみとり器に電気掃除機を接続することによって、モップ等を用いた掃除を効率的にかつ手軽に行うことができる。とくに本発明にかかわるごみとり器はモップからごみを吸引するようにすることで、モップに付着したごみを強制的に取り除くことができ、モップに毛などがからみついているような場合でも、電気掃除機による吸気とスリット棒の相乗効果で簡単にごみを落とすことが可能になる。また、ごみを最終的に電気掃除機で吸引してしまうことができることから、日常の掃除をきわめて容易にかつ手軽に行うことができ、モップの管理も衛生的でほとんど理想的なごみ掃除が可能になる。
【図面の簡単な説明】
【図１】本発明の実施形態の上面図である。
【図２】実施形態の図１のＡ−Ａ断面図である。
【図３】実施形態のごみとり器を電気掃除機に接続した概略図である。
【図４】実施形態の図１のＡ−Ａ断面図の説明図である
【符号の説明】
１　底板
２　接続パイプ
３　側面垂直板
４　後方垂直板
５　シュート
７　ゴム足
８　取手
１９　ケーシング
２０　ごみとり器
２５　電気掃除機
２６　蛇腹ホース部
２７　パイプ部及びスイッチ部
７２　スリット
８１　つまみつきねじ
８３　横棒
８６　突起体
８８　ゴムスリーブ
８９　嵌合筒
【図１】
2004081781.tif 000003
【図２】
2004081781.tif 000004
【図３】
2004081781.tif 000005
【図４】
2004081781.tif 000006